(57)【要約】【課題】映像信号通信部、ＤＤＣ、およびＨＰＤを有するインターフェースを備えるとともに、接続された機器を制御する、または接続された機器に制御される信号切替装置を提供する。【解決手段】スイッチャ（２）は、映像信号入力を選択するスイッチ（３０）と、出力先機器から情報を読み取るためのＤＤＣ（２６ｃ）と、スイッチャ（２）の物理アドレス及び出力先機器の状態を示す情報をＤＤＣ（２６ｃ）を介して読み取るマイコン（３３）と、複数の入力元機器へ情報を出力するためのＤＤＣ（２２ａ）、ＤＤＣ（２２ｂ）とを備える。マイコン（３３）は、スイッチャ（２）の物理アドレス及び上記情報をＥＤＩＤメモリ（３２）に格納し、ＥＤＩＤメモリ（３２）から上記情報を読み出してＤＤＣ（２２ａ）、ＤＤＣ（２２ｂ）を介して出力する。【選択図】図２
2010259108.tif 000002
【特許請求の範囲】
【請求項１】
複数の映像信号入力のいずれかを選択する選択手段と、
情報を保持するためのメモリと、
映像信号の出力先である出力先機器から情報を読み取るための読み取りチャネルと、
本体の物理アドレス及び前記出力先機器の状態を示す情報を前記読み取りチャネルを介して読み取る読み取り手段と、
前記読み取り手段によって読み取られた情報を前記メモリに格納する格納手段と、
前記メモリに格納された情報を読み出す読み出し手段と、
複数の映像信号入力の入力元である複数の入力元機器へ情報を出力するための複数の読み出しチャネルと、
前記出力先機器の状態を示す情報を前記読み出しチャネルを介して出力する出力手段と
を備える信号切替装置。
【請求項２】
前記出力手段は、前記選択手段によって選択された映像信号入力に対応する前記読み出しチャネルのみから、前記出力先機器の状態を示す情報を出力する
請求項１記載の信号切替装置。
【請求項３】
更に、前記本体の物理アドレスに基づいて、各前記入力元機器の物理アドレスを設定するアドレス設定手段を備え、
前記出力手段は、前記入力元機器毎に、前記アドレス設定手段によって設定された、該当する物理アドレスを出力し、
前記選択手段は、複数の前記入力元機器のいずれかからの前記入力元機器の物理アドレスに対応する映像信号入力を選択する
請求項２記載の信号切替装置。
【請求項４】
更に、前記出力先機器及び各前記入力元機器との間で機器制御信号を伝送するための複数の制御信号伝送路と、
各前記制御信号伝送路の電圧状態を検出する電圧検出手段と、
前記電圧検出手段によって得られた検出結果に応じて、本体電源の状態を変化させる電源状態制御手段と
を備える請求項１記載の信号切替装置。
【請求項５】
前記電源状態制御手段は、前記電圧検出手段によって前記制御信号伝送路がプルアップされたことが検出された場合、前記本体電源を入れる
請求項４記載の信号切替装置。
【請求項６】
前記電源状態制御手段は、前記電圧検出手段によって前記制御信号伝送路の電圧がグラウンド電圧に引き下げられた場合、前記本体電源を切る
請求項４記載の信号切替装置。
【請求項７】
更に、前記出力先機器及び各前記入力元機器との間で機器制御信号を伝送するための複数の制御信号伝送路と、
各前記制御信号伝送路の使用の有無に応じて、前記出力先機器及び各前記入力元機器の全部又は一部への電源供給を制御する電源供給制御手段と
を備える請求項１記載の信号切替装置。
【請求項８】
前記電源供給制御手段は、前記機器制御信号であるメッセージが前記制御信号伝送路へ伝送された場合、電源を供給する
請求項７記載の信号切替装置。
【請求項９】
前記電源供給制御手段は、前記制御信号伝送路が使用されていない場合、電源の供給を停止する
請求項７記載の信号切替装置。
【請求項１０】
複数の映像信号の出力先である複数の出力先機器の一部又は全部に映像信号を出力するための分配手段と、
情報を保持するためのメモリと、
複数の前記出力先機器から情報を読み取るための複数の読み取りチャネルと、
本体の物理アドレス及び前記出力先機器の状態を示す情報を前記読み取りチャネルを介して読み取る読み取り手段と、
前記読み取り手段によって読み取られた情報を前記メモリに格納する格納手段と、
前記メモリに格納された情報を読み出す読み出し手段と、
映像信号の入力元である入力元機器へ情報を出力するための読み出しチャネルと、
前記出力先機器の状態を示す情報を前記読み出しチャネルを介して出力する出力手段と
を備える信号分配装置。
【請求項１１】
更に、複数の前記出力先機器のいずれかを選択する選択手段を備え、
前記読み取り手段は、前記選択手段によって選択された前記出力先機器に対応する前記読み取りチャネルのみから、前記出力先機器の状態を示す情報を読み取る
請求項１０記載の信号分配装置。
【請求項１２】
更に、前記入力元機器の物理アドレスを設定するアドレス設定手段を備え、
前記読み取り手段は、前記選択手段によって選択された前記出力先機器に対応する読み取りチャネルのみから前記本体の物理アドレスを読み取り、
前記アドレス設定手段は、前記読み取り手段によって読み取られた前記本体の物理アドレスに基づいて、前記入力元機器の物理アドレスを設定する
請求項１１記載の信号分配装置。
【請求項１３】
更に、各前記出力先機器及び前記入力元機器との間で機器制御信号を伝送するための複数の制御信号伝送路と、
各前記制御信号伝送路の電圧状態を検出する電圧検出手段と、
前記電圧検出手段によって得られた検出結果に応じて、本体電源の状態を変化させる電源状態制御手段と
を備える請求項１０記載の信号分配装置。
【請求項１４】
前記電源状態制御手段は、前記電圧検出手段によって前記制御信号伝送路がプルアップされたことが検出された場合、前記本体電源を入れる
請求項１３記載の信号分配装置。
【請求項１５】
前記電源状態制御手段は、前記電圧検出手段によって前記制御信号伝送路の電圧がグラウンド電圧に引き下げられた場合、前記本体電源を切る
請求項１３記載の信号分配装置。
【請求項１６】
更に、各前記出力先機器及び前記入力元機器との間で機器制御信号を伝送するための複数の制御信号伝送路と、
各前記制御信号伝送路の使用の有無に応じて、各前記出力先機器及び前記入力元機器の全部又は一部への電源供給を制御する電源供給制御手段と
を備える請求項１０記載の信号分配装置。
【請求項１７】
前記電源供給制御手段は、前記機器制御信号であるメッセージが前記制御信号伝送路へ伝送された場合、電源を供給する
請求項１６記載の信号分配装置。
【請求項１８】
前記電源供給制御手段は、前記制御信号伝送路が使用されていない場合、電源の供給を停止する
請求項１６記載の信号分配装置。
【請求項１９】
前記出力手段は、複数の前記出力先機器の状態を示す情報のうちの共通する情報のみを出力する
請求項１０記載の信号分配装置。
【請求項２０】
複数の映像のいずれかを選択する選択手段と、
前記選択手段によって選択された映像を表示する表示手段と、
映像信号の入力元である入力元機器の物理アドレス及び本体の状態を示す情報を保持するためのメモリと、
前記メモリに保持された情報を読み出す読み出し手段と、
前記入力元機器へ情報を出力するための読み出しチャネルと、
前記本体の状態を示す情報を前記読み出しチャネルを介して出力する出力手段と
を備える表示装置。
【請求項２１】
映像信号送信装置と、映像信号処理装置と、映像信号受信装置とを備え、
前記映像信号処理装置は、
情報を保持するためのメモリと、
前記映像信号受信装置から情報を読み取るための読み取りチャネルと、
前記映像信号処理装置の物理アドレス及び前記映像信号受信装置の状態を示す情報を前記読み取りチャネルを介して読み取る読み取り手段と、
前記読み取り手段によって読み取られた情報を前記メモリに格納する格納手段と、
前記メモリに格納された情報を読み出す読み出し手段と、
前記映像信号送信装置へ情報を出力するための読み出しチャネルと、
前記映像信号受信装置の状態を示す情報を前記読み出しチャネルを介して出力する出力手段とを有する
信号伝送システム。
【請求項２２】
複数の映像信号入力のいずれかを選択する選択ステップと、
映像信号の出力先である出力先機器から情報を読み取るための読み取りチャネルを介して、自らの物理アドレス及び前記出力先機器の状態を示す情報を読み取る読み取りステップと、
前記読み取りステップにおいて読み取った情報をメモリに格納する格納ステップと、
前記メモリに格納された情報を読み出す読み出しステップと、
複数の映像信号入力の入力元である複数の入力元機器の一部又は全部へ情報を出力するための読み出しチャネルを介して、前記出力先機器の状態を示す情報を出力する出力ステップと
を含む信号切替方法。
【請求項２３】
複数の映像信号の出力先である複数の出力先機器の一部又は全部に映像信号を出力するための分配ステップと、
複数の前記出力先機器の一部又は全部から情報を読み取るための読み取りチャネルを介して、自らの物理アドレス及び前記出力先機器の状態を示す情報を読み取る読み取りステップと、
前記読み取りステップにおいて読み取った情報をメモリに格納する格納ステップと、
前記メモリに格納された情報を読み出す読み出しステップと、
映像信号の入力元である入力元機器へ情報を出力するための読み出しチャネルを介して、前記出力先機器の状態を示す情報を出力する出力ステップと
を含む信号分配方法。
【請求項２４】
複数の映像信号入力のいずれかを選択する選択ステップと、
映像信号の出力先である出力先機器から情報を読み取るための読み取りチャネルを介して、本体の物理アドレス及び前記出力先機器の状態を示す情報を読み取る読み取りステップと、
前記読み取りステップにおいて読み取った情報をメモリに格納する格納ステップと、
前記メモリに格納された情報を読み出す読み出しステップと、
複数の映像信号入力の入力元である複数の入力元機器の一部又は全部へ情報を出力するための読み出しチャネルを介して、前記出力先機器の状態を示す情報を出力する出力ステップと
をコンピュータに実行させるためのプログラム。
【請求項２５】
複数の映像信号の出力先である複数の出力先機器の一部又は全部に映像信号を出力するための分配ステップと、
複数の前記出力先機器の一部又は全部から情報を読み取るための読み取りチャネルを介して、自らの物理アドレス及び前記出力先機器の状態を示す情報を読み取る読み取りステップと、
前記読み取りステップにおいて読み取った情報をメモリに格納する格納ステップと、
前記メモリに格納された情報を読み出す読み出しステップと、
映像信号の入力元である入力元機器へ情報を出力するための読み出しチャネルを介して、前記出力先機器の状態を示す情報を出力する出力ステップと
をコンピュータに実行させるためのプログラム。
【発明の詳細な説明】
【技術分野】
【０００１】
本発明は、複数の入力信号を切り替える信号切替装置と、入力信号を複数の機器へ出力する信号分配装置と、映像を表示する表示装置と、信号伝送システムとに関する。
【背景技術】
【０００２】
近年、デジタルビデオや、通信衛星放送におけるデジタル技術の普及に鑑みて、こうしたデジタル技術を用いたデジタル機器を、同一のネットワーク上に接続して制御するシステムが構成されつつある。
【０００３】
デジタルインターフェースの一つとして、ＤＶＩ（Ｄｉｇｉｔａｌ  Ｖｉｓｕａｌ  Ｉｎｔｅｒｆａｃｅ）と呼ばれるものがある。このインターフェースは、デジタル映像信号を圧縮無しで伝送することができる高速な信号伝送路と、受信側の機器が表示することができる信号のフォーマット等の情報を上流（信号源側）に提供するために保持するＥＤＩＤ（Ｅｘｔｅｎｄｅｄ  Ｄｉｓｐｌａｙ  Ｉｄｅｎｔｉｆｉｃａｔｉｏｎ  Ｄａｔａ）メモリと、前記情報を読み出すためのＤＤＣ（ＤＩＳＰＬＡＹ  ＤＡＴＡ  ＣＨＡＮＮＥＬ）とを有する（例えば、“Digital Visual Interface DVI ,revision 1.0”、2.2 Plug and Play specification、[online]、1999年4月2日,Digital Display Working Group、[2002年8月29日検索]、インターネットURL:http://www.ddwg.org/downloads.html参照）。さらに、ＤＶＩは、ＥＤＩＤメモリに記録されている情報が読める状態にあることや、その内容が変化したことを知らせるＨＰＤ（Ｈｏｔ  Ｐｌｕｇ  Ｄｅｔｅｃｔ）線を備える。ＨＰＤ線は、それが設けられている機器に上流の機器から電源が供給されたときのみ、上記の内容が変化したことを示す情報を出力できる。
【０００４】
このインターフェース（ＤＶＩ）に対し、接続されている機器を制御するためのコントロール線を加えることを検討する。例として、欧州で使用されているＳＣＡＲＴコネクタ（ＣＥＮＥＬＥＣ，ＥＮ  ５００４９−１：１９９７／Ａ１：１９９８）で用いられるコントロール線を追加することを検討する。
【発明の概要】
【０００５】
コントロール線はＤＶＩを持つ全ての機器の入力と出力の間で接続されバスを構成する。コントロール線では、ＤＶＩによって構築されたネットワーク上でそれぞれの機器を特定するための情報である論理アドレスが規定される。論理アドレスは、それぞれの機器の種類（ＤＶＤ録画再生装置、ＳＴＢ（Ｓｅｔ  Ｔｏｐ  Ｂｏｘ）、ＴＶなど）と、同種の機器相互間での調停とにより、「ＳＴＢｂ」などと決定され、それぞれのコントロール線が追加されたＤＶＩを備えた機器中で保持される。
【０００６】
コントロール線を通じて送られるメッセージのヘッダには、メッセージの送信元の論理アドレスと、メッセージの宛先の論理アドレスとが含まれる。メッセージには、例えば全てのコントロール線が追加されたＤＶＩを備えた機器を宛先とするブロードキャストメッセージも含まれる。それぞれのコントロール線が追加されたＤＶＩを備えた機器は、自身の論理アドレスとヘッダ中の宛先とを比較することによって、ブロードキャストメッセージが自身が対応すべきメッセージであるか否かを判定する。
【０００７】
上述したように、ＤＶＩにコントロール線を加えることにより、ＴＶ等の表示機器と、ＤＶＤ録画再生装置などの録画・再生機器とを一本のケーブルだけで接続するインターフェースを実現することができる。
【０００８】
しかしながら、ＤＶＩと前記コントロール線とを組み合わせただけでは、ある機器が他の機器を制御することはできない。特にスイッチやデュプリケータといった信号切替・分配装置を含んだシステムにおいては、そのシステムを構成するある機器が他の機器を制御することができることをユーザは所望するが、それは実現されていない。例えば、各機器が電源ＯＮ／ＯＦＦ、ＥＤＩＤメモリに記録されている情報が読める状態／読めない状態などの各状態において、機器コントロールが可能な状態か否かということは規定されていない。
【０００９】
また、機器コントロールにおいてルート機器は１つとなるように規定されており、「ＴＶ」に相当する論理アドレスも１つのみ定められている。しかしながら、ある機器に誤ってあるいは意図的に２台以上のＴＶ（＝ルート機器）が接続された場合の上記ある機器の動作や、上記ある機器が誤動作することを防ぐための方法などは規定されていない。
【００１０】
このように、ＤＶＩとコントロール線とを組み合わせただけでは、ある機器は、自らに接続されている他の機器を制御することはできない。
【００１１】
本発明は、かかる課題に鑑みてなされたものであり、映像信号通信部、ＤＤＣ、およびＨＰＤを有するインターフェースを備えるとともに、接続された機器を制御する、または接続された機器に制御される信号切替装置、信号分配装置、および表示装置を提供することを目的とする。
【００１２】
上述した課題を解決するとともに上述した目的を達成するために、本発明の信号切替装置は、複数の映像信号入力のいずれかを選択する選択手段と、情報を保持するためのメモリと、映像信号の出力先である出力先機器から情報を読み取るための読み取りチャネルと、本体の物理アドレス及び前記出力先機器の状態を示す情報を前記読み取りチャネルを介して読み取る読み取り手段と、前記読み取り手段によって読み取られた情報を前記メモリに格納する格納手段と、前記メモリに格納された情報を読み出す読み出し手段と、複数の映像信号入力の入力元である複数の入力元機器へ情報を出力するための複数の読み出しチャネルと、前記出力先機器の状態を示す情報を前記読み出しチャネルを介して出力する出力手段とを備える。
【００１３】
本発明の信号分配装置は、複数の映像信号の出力先である複数の出力先機器の一部又は全部に映像信号を出力するための分配手段と、情報を保持するためのメモリと、複数の前記出力先機器から情報を読み取るための複数の読み取りチャネルと、本体の物理アドレス及び前記出力先機器の状態を示す情報を前記読み取りチャネルを介して読み取る読み取り手段と、前記読み取り手段によって読み取られた情報を前記メモリに格納する格納手段と、前記メモリに格納された情報を読み出す読み出し手段と、映像信号の入力元である入力元機器へ情報を出力するための読み出しチャネルと、前記出力先機器の状態を示す情報を前記読み出しチャネルを介して出力する出力手段とを備える。
【００１４】
本発明の表示装置は、複数の映像のいずれかを選択する選択手段と、前記選択手段によって選択された映像を表示する表示手段と、映像信号の入力元である入力元機器の物理アドレス及び本体の状態を示す情報を保持するためのメモリと、前記メモリに保持された情報を読み出す読み出し手段と、前記入力元機器へ情報を出力するための読み出しチャネルと、前記本体の状態を示す情報を前記読み出しチャネルを介して出力する出力手段とを備える。
【００１５】
このように、本発明の信号切替装置、信号分配装置、および表示装置は、メモリと、読み出しチャネルとを備え、そのメモリに、本体の物理アドレスと、接続される機器の状態を示す情報、または本体の状態を示す情報とが格納されるので、接続された機器を制御する、または接続された機器に制御される、ということが可能である。
【００１６】
また、本発明の信号伝送システムは、映像信号送信装置と、映像信号処理装置と、映像信号受信装置とを備え、前記映像信号処理装置は、情報を保持するためのメモリと、前記映像信号受信装置から情報を読み取るための読み取りチャネルと、前記映像信号処理装置の物理アドレス及び前記映像信号受信装置の状態を示す情報を前記読み取りチャネルを介して読み取る読み取り手段と、前記読み取り手段によって読み取られた情報を前記メモリに格納する格納手段と、前記メモリに格納された情報を読み出す読み出し手段と、前記映像信号送信装置へ情報を出力するための読み出しチャネルと、前記映像信号受信装置の状態を示す情報を前記読み出しチャネルを介して出力する出力手段とを有する。
【００１７】
このように、本発明の信号伝送システムの映像信号処理装置は、メモリと、読み出しチャネルとを備え、そのメモリに、映像信号処理装置の物理アドレスと、映像信号受信装置の状態を示す情報とが格納されるので、本発明の信号伝送システムでは、映像信号送信装置、映像信号処理装置、および映像信号受信装置は、相互に制御する、または制御される、ということが可能である。
【００１８】
つまり、本発明によれば、ＤＶＩに制御線を加えて、非圧縮の映像信号伝送に加えて接続された機器の制御が可能となる。
【００１９】
また、ＤＶＩを用いたスイッチやデュプリケータなどが実現できる。
【００２０】
さらにＴＶがスイッチやデュプリケータなどを介して２台以上繋がっていても、スイッチやデュプリケータが切り分けた範囲内で接続された機器の制御を行うことができるという効果がある。
【００２１】
更に、本発明は、本発明の信号切替装置または信号分配装置の特徴的な構成手段をステップとする方法として実現したり、それらのステップを含むプログラムとして実現することもできる。そのプログラムは、ＣＤ−ＲＯＭ等の記録媒体や通信ネットワーク等の伝送媒体を介して流通させることもできる。
【図面の簡単な説明】
【００２２】
【図１】図１は、実施の形態１および実施の形態２におけるスイッチャ２を含む信号伝送システムの構成を示すブロック図である。
【図２】図２は、実施の形態１および実施の形態２におけるスイッチャ２の構成を示す図である。
【図３】図３は、実施の形態１および実施の形態２におけるＴＶ１の構成を示す図である。
【図４】図４は、実施の形態１の信号伝送システムの動作の各手順を説明するシーケンス図である。
【図５】図５は、実施の形態２の信号伝送システムの動作の各手順を説明するシーケンス図である。
【図６】図６は、実施の形態３における分配装置１０を含む信号伝送システムの構成を示すブロック図である。
【図７】図７は、実施の形態３における分配装置１０の構成を示す図である。
【図８】図８（Ａ）は、ＴＶ１が受信することができる映像信号のフォーマットを示す図である。図８（Ｂ）は、ＴＶ１１が受信することができる映像信号のフォーマットを示す図である。
【図９】図９は、ディストリビュータの構成を示す図である。
【発明を実施するための形態】
【００２３】
以下、本発明を実施するための最良の形態を、図面を参照して説明する。
【００２４】
（実施の形態１）
先ず、実施の形態１の信号伝送システムの構成を、図１〜図３を用いて説明する。
【００２５】
図１は実施の形態１の信号伝送システムの構成を示すブロック図である。図１に示すように、実施の形態１の信号伝送システムは、ＴＶ１と、スイッチャ２と、録画機ａ３と、ＤＶＤａ４と、ＳＴＢａ５と、ＳＴＢｂ６とで構成されている。ＴＶ１にはスイッチャ２と録画機ａ３とが接続され、スイッチャ２にはＤＶＤａ４とＳＴＢａ５とが接続され、録画機ａ３にはＳＴＢｂ６が接続されている。
【００２６】
ＴＶ１は表示装置である。スイッチャ２は、ＤＶＤａ４からの映像信号と、ＳＴＢａ５からの映像信号とのいずれかを選択する装置である。録画機ａ３はＳＴＢｂ６からの映像信号を録画する装置である。ＤＶＤａ４はＤＶＤに記録されている映像信号を再生する装置である。ＳＴＢａ５及びＳＴＢｂ６は、映像信号を受信して出力する装置である。
【００２７】
図１では、ＴＶ１、スイッチャ２、録画機ａ３、ＤＶＤａ４、ＳＴＢａ５、及びＳＴＢｂ６を示す各ブロック内に数字が記載されている。数字は、その数字が含まれるブロックが示す装置の物理アドレスである。
【００２８】
物理アドレスは、互いに接続されている各装置がどのように接続されているか（実際はコントロール線の接続のされ方）を特定するための情報である。物理アドレスは、受信側の機器中に設置されたＥＤＩＤメモリの所定の位置に保持され、起動時にＤＤＣを通じて読み出される。ここで、受信側の機器とは、ＴＶ１とスイッチャ２とについてはＴＶ１を意味し、スイッチャ２とＤＶＤａ４とについてはスイッチャ２を意味する。コントロール線が追加されたＤＶＩを備えた機器（例えば、スイッチャ２）は、自身の物理アドレスからそれぞれの子機器（入力側に直接繋がっている機器）の物理アドレスを生成し、自身の論理アドレスとともに保持する。
【００２９】
ＴＶなどの表示機器は、信号の最終到着点の機器（ルート機器）であるため、下流の機器から自らの物理アドレスを読み出すことはできない。このため、ルート機器は電源投入時に例えば（００００）という物理アドレスを自ら設定し保持する。ルート機器に直接２台の機器が接続されている場合、それぞれの機器の物理アドレスは（１０００）、（２０００）と決定される。同様に、物理アドレスが（１０００）である機器に３台の機器が接続されている場合、それぞれの機器の物理アドレスは（１１００）、（１２００）、（１３００）と順次決定される。
【００３０】
図１は、ルート機器であるＴＶ１の物理アドレスが（００００）であり、ＴＶ１に直接接続されているスイッチャ２および録画機ａ３の物理アドレスがそれぞれ（１０００）、（２０００）である状況を示している。また、図１は、物理アドレスが（１０００）であるスイッチャ２に直接接続されているＤＶＤａ４およびＳＴＢａ５の物理アドレスがそれぞれ（１１００）、（１２００）である状況を示している。
【００３１】
図２は２入力１出力のスイッチャ２の構成を示す図である。
【００３２】
図２に示すように、スイッチャ２は、第１の映像入力側のＤＶＩ（以下、「第１入力ＤＶＩ」という。）を構成する映像入力部２０ａと、コントロール線（ＣＴＬ）２１ａと、ＤＤＣ２２ａと、ＨＰＤ２３ａとを備えている。また、スイッチャ２は、第２の映像入力側のＤＶＩ（以下、「第２入力ＤＶＩ」という。）を構成する映像入力部２０ｂと、コントロール線（ＣＴＬ）２１ｂと、ＤＤＣ２２ｂと、ＨＰＤ２３ｂとを備えている。また、スイッチャ２は、映像出力側のＤＶＩを構成する映像出力部２４ｃと、コントロール線（ＣＴＬ）２５ｃと、ＤＤＣ２６ｃと、ＨＰＤ２７ｃとを備えている。
【００３３】
更に、スイッチャ２は、スイッチ（ＳＷ）３０と、ＥＤＩＤメモリ３２と、マイコン３３とを備えている。
【００３４】
スイッチ３０は、映像入力部２０ａと、映像入力部２０ｂとのいずれかを選択する。ＥＤＩＤメモリ３２は、ＴＶ１の状態を示す情報等を保持するためのメモリである。ＴＶ１の状態を示す情報は、例えば、ＴＶ１が受信することができる映像信号のフォーマットを示す情報である。また、ＴＶ１の状態を示す情報として、製品に関する情報（型番、シリアル番号、製造社名、製造年月日）や、映像フォーマットに関する情報（画素数、ガンマ、色情報（Ｒ，Ｇ，Ｂなど）や、タイミングに関する情報（サンプル数、フレームレート）もある。さらに、ＥＤＩＤメモリ３２には、少なくともスイッチ３０によって選択された映像入力部（映像入力部２０ａまたは映像入力部２０ｂ）の物理アドレスが保持される。マイコン３３は、ＥＤＩＤメモリ３２によって保持されている情報に基づいてスイッチャ２の状態を管理するとともに、スイッチ３０及び、コントロール線２１ａ，コントロール線２１ｂ，コントロール線２５ｃを制御する。
【００３５】
ここで、ＤＤＣ２２ａ，ＤＤＣ２２ｂは読み出しチャネルの一例であり、ＤＤＣ２６ｃは読み取りチャネルの一例である。コントロール線２１ａ，コントロール線２１ｂ，コントロール線２５ｃは、制御信号伝送路の一例である。読み取り手段、格納手段、読み出し手段、出力手段、電圧検出手段、電源状態制御手段、電源供給手段、及びアドレス設定手段は、マイコン３３に含まれている。
【００３６】
図３は２入力のＴＶ１の構成を示す図である。
【００３７】
図３に示すように、ＴＶ１は、スイッチャ２と同様に、第１入力ＤＶＩと、第２入力ＤＶＩとを備えている。すなわち、ＴＶ１は、映像入力部２０ａ、コントロール線（ＣＴＬ）２１ａ、ＤＤＣ２２ａ、及びＨＰＤ２３ａと、映像入力部２０ｂ、コントロール線（ＣＴＬ）２１ｂ、ＤＤＣ２２ｂ、及びＨＰＤ２３ｂとを備えている。また、ＴＶ１は、スイッチ（ＳＷ）４１と、ＥＤＩＤメモリ４２と、マイコン４３と、モニタ４４とを備えている。図３において、図２に示す構成要素と同じ構成要素に関しては、同じ符号を付与し、説明を省略する。
【００３８】
スイッチ４１は、映像入力部２０ａと、映像入力部２０ｂとのいずれかを選択する。ＥＤＩＤメモリ４２は、ＴＶ１の状態を示す情報等を保持するメモリである。さらに、ＥＤＩＤメモリ４２は、少なくともスイッチ４１によって選択された映像入力部（映像入力部２０ａまたは映像入力部２０ｂ）の物理アドレスを保持する。マイコン４３は、ＥＤＩＤメモリ４２によって保持されている情報に基づいてＴＶ１の状態を管理するとともに、スイッチ４１を制御する。モニタ４４は、スイッチ４１によって選択された映像入力部（映像入力部２０ａまたは映像入力部２０ｂ）からの映像信号に基づく映像を表示する。
【００３９】
次に、実施の形態１の信号伝送システムの動作を説明する。
【００４０】
なお、以下の説明では、スイッチャ２の動作を説明するために、ＴＶ１、スイッチャ２、およびＤＶＤａ４の動作を、図４を用いて説明する。
【００４１】
図４は、実施の形態１の信号伝送システムの動作の各手順を説明するシーケンス図である。
【００４２】
まず、全ての機器が電源ＯＦＦである状態を想定する。つまり、ＴＶ１、スイッチャ２、録画機ａ３、ＤＶＤａ４、ＳＴＢａ５、及びＳＴＢｂ６の電源がＯＦＦである状態を想定する。この状態で、ユーザがＤＶＤａ４の電源をＯＮにし、ＰＬＡＹボタンを押す場合を想定する。
【００４３】
この場合、ＤＶＤａ４は再生を始める（Ｓ１）。また、ＤＶＤａ４はコントロール線に対してプルアップを行い、スイッチャ２に対して電源供給線（未記述）を通して＋５ボルト電源を供給する（Ｓ２）。また、ＤＶＤａ４は、スイッチャ２に対してＥＤＩＤメモリ３２中に保持されているはずの自身の物理アドレスの入手を試みる（Ｓ３）。しかしながら、ＤＶＤａ４以外の機器がまだ電源ＯＮになっていないので、ＤＶＤａ４は下流の機器（スイッチャ２）から自身の物理アドレスをまだ入手できない。そのため、ＤＶＤａ４は、自身の物理アドレスを入手できるまでＤＤＣ２２ａを通して、自身の物理アドレスの読み取りのリトライを続ける。
【００４４】
ＤＶＤａ４はコントロール線２１ａを通して＜Ｉｍａｇｅ  Ｖｉｅｗ  Ｏｎ＞メッセージをＴＶ１に送る（Ｓ４）。ＤＶＤａ４は、そのメッセージの「送り元」のパラメータに自身の論理アドレスを、「宛先」のパラメータにＴＶ１の論理アドレスを設定する。スイッチャ２のコントロール線２１ａ、コントロール線２１ｂ、コントロール線２５ｃは相互に接続されている。そのため、ＤＶＤａ４からのメッセージはコントロール線に対してプルアップを行う機器が存在する限り、ＴＶ１まで届くことができる（Ｓ４）。
【００４５】
ＴＶ１では、マイコン４３が、コントロール線２１ａを介して＜Ｉｍａｇｅ  Ｖｉｅｗ  Ｏｎ＞メッセージを受け取ると、ＴＶ１の電源をＯＮにし（Ｓ５）、映像を表示できる状態にする。
【００４６】
スイッチャ２では、マイコン３３が、コントロール線のプルアップを検出すると、スイッチャ２の電源をＯＮにする（Ｓ６）。または、コントロール線上にメッセージが流れたことを受けて、マイコン３３がスイッチャ２の電源をＯＮにしてもよい（Ｓ６）。
【００４７】
次に、スイッチャ２のマイコン３３がＴＶ１に対して＋５ボルト電源を供給する（Ｓ７）。ＴＶ１では、マイコン４３が、＋５ボルト電源が供給されたことを検出すると、そのことを示す情報（電源供給に対する応答）をＨＰＤ２３ａを介して出力する（Ｓ８）。ＴＶ１のＥＤＩＤメモリ４２には、ＴＶ１の物理アドレス（００００）と子機器の物理アドレス（１０００）、（２０００）とが設定されている。
【００４８】
スイッチャ２では、マイコン３３が、ＴＶ１に＋５ボルト電源が供給されたことを示す情報（電源供給に対する応答）がＴＶ１のＨＰＤ２３ａから出力されたことを検出すると、ＴＶ１からスイッチャ２の物理アドレス（１０００）をＤＤＣ２６ｃ経由で読み出し、ＥＤＩＤメモリ３２に設定する（Ｓ９）。同時に、マイコン３３は、ＴＶ１が受信することができる映像信号のフォーマットも読み出し、ＥＤＩＤメモリ３２に登録する（Ｓ９）。映像信号のフォーマットは、ＴＶ１が受信することができる映像信号の解像度および周波数を含む。なお、スイッチャ２がＴＶ１からスイッチャ２の物理アドレスやＴＶ１が受信することができる映像信号のフォーマットを読み出す際、ＴＶ１のマイコン４３が、上記の物理アドレスやフォーマットをＥＤＩＤメモリ４２から読み出し、ＤＤＣ２２ａ経由でスイッチャ２へ出力する。
【００４９】
また、マイコン３３は、スイッチャ２の子機器の物理アドレス（１１００）と（１２００）とをＥＤＩＤメモリ３２に設定する（Ｓ１０）。更に、マイコン３３は、ＨＰＤ２３ａからＥＤＩＤメモリ３２に保持されている情報の内容が変化したことを示す情報を出力する（Ｓ１１）。
【００５０】
ＤＶＤａ４は、スイッチャ２のＥＤＩＤメモリ３２に保持されている情報の内容が変化したことを示す情報がＨＰＤ２３ａから出力されたことを検出すると、スイッチャ２からＤＶＤａ４の物理アドレス（１１００）をＤＤＣ２２ａ経由で読み出し、自らに設けられているメモリに設定する（Ｓ１２）。同時に、ＤＶＤａ４は、ＴＶ１が受信する映像信号のフォーマットもスイッチャ２から読み出し、自らに設けられているメモリに設定する（Ｓ１２）。ＤＶＤａ４は、メモリに設定したフォーマットを、出力する映像信号の設定に反映する。なお、ＤＶＤａ４がスイッチャ２からＤＶＤａ４の物理アドレスやＴＶ１が受信することができる映像信号のフォーマットを読み出す際、スイッチャ２のマイコン３３が、上記の物理アドレスやフォーマットをＥＤＩＤメモリ３２から読み出し、ＤＤＣ２２ａ経由でＤＶＤａ４へ出力する。
【００５１】
ＤＶＤａ４はコントロール線２１ａを通して＜ａｃｔｉｖｅ  ｓｏｕｒｃｅ＞メッセージをブロードキャストする（Ｓ１３）。このメッセージにはＤＶＤａ４の物理アドレス（１１００）が含まれる。ＴＶ１では、マイコン４３が、コントロール線２１ａから＜ａｃｔｉｖｅ  ｓｏｕｒｃｅ＞メッセージを受け取ると、内部接続をＤＶＤａ４側に切り替える（Ｓ１４）。すなわち、マイコン４３が、スイッチ３０が映像入力部２０ａを選択するように、スイッチ３０を制御する（Ｓ１４）。
【００５２】
スイッチャ２では、マイコン３３が、コントロール線２１ａから＜ａｃｔｉｖｅ  ｓｏｕｒｃｅ＞メッセージを受け取ると、メッセージ中の物理アドレス（１１００）と、ＥＤＩＤメモリ３２に設定されているスイッチャ２の物理アドレス（１０００）とを比較する。このとき、マイコン３３は、二つの物理アドレスの最初から２桁目（百の位）に着目し、内部接続をＤＶＤａ４側に切り替える（Ｓ１５）。すなわち、マイコン３３は、スイッチ３０が映像入力部２０ａを選択するように、スイッチ３０を制御する（Ｓ１５）。このように、マイコン３３は、メッセージと、そのメッセージで指定されている物理アドレスとを利用することにより、そのメッセージで特定される制御を適正に行うことができる。
【００５３】
これによりＤＶＤａ４からＴＶ１までの映像信号経路が確立され、ＴＶ１はＤＶＤａ４からの映像信号を受信し、その映像信号に基づく映像を表示する。
【００５４】
上述した実施の形態１では、ユーザがＤＶＤａ４の電源をＯＮにし、ＰＬＡＹボタンを押すことにより、ＤＶＤａ４は、＜Ｉｍａｇｅ  Ｖｉｅｗ  Ｏｎ＞メッセージをスイッチャ２およびＴＶ１へ送信する。これにより、ユーザが操作することなく、スイッチャ２およびＴＶ１の電源はＯＮになる。その後、ＤＶＤａ４は、＜ａｃｔｉｖｅ  ｓｏｕｒｃｅ＞メッセージをスイッチャ２およびＴＶ１へ送信する。これにより、ユーザが操作することなく、スイッチャ２およびＴＶ１の各スイッチはＤＶＤａ４側を選択する。その結果、ユーザがＤＶＤａ４の電源をＯＮにし、ＰＬＡＹボタンを押すことにより、ＤＶＤａ４からＴＶ１までの映像信号経路が確立される。
【００５５】
このように、コントロール線を通じてメッセージを送出する機器が、コントロール線をプルアップすることにより、他の機器を自動的にメッセージを受け付ける状態にしたり、ＥＤＩＤを読み取れる状態にしたり、電源をＯＮしたりすることが可能になる。
【００５６】
すなわち、上述した実施の形態１では、メッセージと、そのメッセージで指定されている物理アドレスとを利用することにより、そのメッセージで特定される制御を適正に行うことができる。
【００５７】
なお、上述した実施の形態１では、ＤＶＤａ４がコントロール線に対してプルアップを行い、スイッチャ２に対して電源供給線を通して電源を供給すると、スイッチャ２の電源はＯＮになる。逆に、コントロール線の電圧がグラウンド電圧に引き下げられた場合、スイッチャ２の電源はＯＦＦになってもよい。
【００５８】
また、上述した実施の形態１では、スイッチャ２のマイコン３３は、ＤＶＤａ４から＜Ｉｍａｇｅ  Ｖｉｅｗ  Ｏｎ＞メッセージを受け取ると、ＴＶ１へ電源を供給する。しかしながら、マイコン３３は、ＤＶＤａ４から他のメッセージを受け取った場合に、ＴＶ１へ電源を供給してもよい。また、コントロール線２１ａ，コントロール線２１ｂ，コントロール線２５ｃが使用されていない場合、マイコン３３は、コントロール線２１ａ，コントロール線２１ｂ，コントロール線２５ｃへの電源の供給を停止してもよい。このように、マイコン３３は、コントロール線２１ａ，コントロール線２１ｂ，コントロール線２５ｃの使用の有無に応じて、コントロール線２１ａ，コントロール線２１ｂ，コントロール線２５ｃの全部または一部への電源の供給を制御する。
【００５９】
（実施の形態２）
本実施の形態では、実施の形態１で行われた制御をＴＶ１側から行う場合について、図５を用いて説明する。実施の形態２の信号伝送システムの構成は、実施の形態１の信号伝送システムの構成と同じである。
【００６０】
図５は、実施の形態２の信号伝送システムの動作の各手順を説明するシーケンス図である。
【００６１】
全ての機器が電源ＯＦＦである状態から、ユーザがＴＶ１の電源をＯＮにする場合を想定する。ＴＶ１は、ルート機器であり、あらかじめ自身の物理アドレス（００００）と、子機器の物理アドレス（１０００）、（２０００）とをＥＤＩＤメモリ４２に設定している。ユーザが、ＴＶ１のＧＵＩやリモコンを用いる操作などで入力切替しＤＶＤａ４を選択する。
【００６２】
ＴＶ１は、コントロール線に対してプルアップを行い、コントロール線２１ａ、コントロール線２１ｂを通してＤＶＤａ４に＜Ｐｏｗｅｒ  ＯＮ＞メッセージを送る（Ｓ２１）。ＴＶ１は、そのメッセージの「送り元」のパラメータにＴＶ１自身の論理アドレスを設定し、「宛先」のパラメータにＤＶＤａ４の論理アドレスを設定する。
【００６３】
ＤＶＤａ４は＜Ｐｏｗｅｒ  ＯＮ＞メッセージを検出し、電源ＯＮになる（Ｓ２２）。ＴＶ１は、自身が電源ＯＦＦである間に他の機器の物理アドレスが変化した可能性があるので、ＤＶＤａ４の物理アドレスを＜Ｇｉｖｅ  Ｐｈｙｓｉｃａｌ  Ａｄｄｒｅｓｓ＞メッセージを用いて確認する（Ｓ２３）。つまり、ＴＶ１は、＜Ｇｉｖｅ  Ｐｈｙｓｉｃａｌ  Ａｄｄｒｅｓｓ＞メッセージをブロードキャストする（Ｓ２３）。
【００６４】
スイッチャ２では、マイコン３３がコントロール線のプルアップを検出すると本体の電源をＯＮにする（Ｓ２４）。または、マイコン３３は、コントロール線上にメッセージが流れたことを受けて本体の電源をＯＮにしてもよい（Ｓ２４）。スイッチャ２では、電源ＯＮになると、マイコン３３がＴＶ１に対して＋５ボルト電源を供給する（Ｓ２５）。ＴＶ１では、マイコン４３が、＋５ボルト電源を供給されたことを検出すると、ＨＰＤ２３ａからＴＶ１の内容が変化したことを示す情報（電源供給に対する応答）を出力する（Ｓ２６）。
【００６５】
スイッチャ２では、マイコン３３が、ＨＰＤ２３ａからＴＶ１の内容が変化したことを示す情報（電源供給に対する応答）が出力されたことを検出すると、ＴＶ１からスイッチャ２の物理アドレス（１０００）をＤＤＣ２２ａ経由で読み出す（Ｓ２７）。また、マイコン３３は、ＴＶ１が受信することができる映像信号のフォーマットも読み出す（Ｓ２７）。マイコン３３は、読み出されたスイッチャ２の物理アドレス（１０００）をＥＤＩＤメモリ３２に設定する（Ｓ２８）。また、マイコン３３は子機器の物理アドレス（１１００）及び（１２００）もＥＤＩＤメモリ３２に設定する（Ｓ２８）。さらに、マイコン３３は、ＴＶ１が受信することができる映像信号のフォーマットもＥＤＩＤメモリ３２に設定する（Ｓ２８）。マイコン３３は、ＥＤＩＤメモリ３２に設定されている情報の内容が変化したことを示す情報を、ＨＰＤ２３ａ、ＨＰＤ２３ｂから出力する（Ｓ２９）。
【００６６】
ＤＶＤａ４は、スイッチャ２から自身の物理アドレス（１１００）をＤＤＣ２２ａ経由で読み出し、ＤＶＤａ４内に設けられているメモリに設定する（Ｓ３０）。ＤＶＤａ４は、ＴＶ１からの＜Ｇｉｖｅ  Ｐｈｙｓｉｃａｌ  Ａｄｄｒｅｓｓ＞メッセージに対して＜Ｒｅｐｏｒｔ  Ｐｈｙｓｉｃａｌ  Ａｄｄｒｅｓｓ＞メッセージを用いて回答する（Ｓ３１）。ＤＶＤａ４は、そのメッセージの「送り元」のパラメータに自身の論理アドレスを設定し、「宛先」のパラメータにＴＶ１の論理アドレスを設定する。
【００６７】
ＴＶ１においては、マイコン４３が、スイッチ４１がＤＶＤａ４側を選択するようスイッチ４１を切り替えるとともに（Ｓ３２）、コントロール線２１ａ、コントロール線２１ｂから＜Ｓｅｔ  Ｓｔｒｅａｍ  Ｐａｔｈ＞メッセージをブロードキャストする（Ｓ３３）。スイッチャ２では、マイコン３３が、コントロール線から＜Ｓｅｔ  Ｓｔｒｅａｍ  Ｐａｔｈ＞メッセージを受け取ると、スイッチ３０をＤＶＤａ４側に切り替える（Ｓ３４）。これによりＤＶＤａ４からＴＶ１までの映像信号経路が確立される。
【００６８】
ＴＶ１では、マイコン４３が、コントロール線を通してＤＶＤａ４に＜ＰｌａｙＣｏｍｍａｎｄ＞メッセージを送る（Ｓ３５）。ＤＶＤａ４は、ＴＶ１が受信する映像信号のフォーマットにより再生を開始する（Ｓ３６）。ＴＶ１はＤＶＤａ４からの信号を受信し表示する。
【００６９】
以上説明したように、ユーザがＴＶ１に対してＤＶＤａ４を選択するように操作することにより、ＴＶ１は、コントロール線に対してプルアップを行い、ＤＶＤａ４に＜Ｐｏｗｅｒ  ＯＮ＞メッセージを送信する。これにより、ユーザが操作することなく、スイッチャ２およびＤＶＤａ４の電源はＯＮになる。その後、ＴＶ１は、＜Ｓｅｔ  Ｓｔｒｅａｍ  Ｐａｔｈ＞メッセージをブロードキャストする。そのメッセージに基づいて、スイッチャ２ではマイコン３３がスイッチ３０をＤＶＤａ４側に切り替える。これにより、ユーザがスイッチャ２およびＤＶＤａ４を操作することなく、ＤＶＤａ４からＴＶ１までの映像信号経路が確立される。
【００７０】
すなわち、実施の形態１と同様に、コントロール線を通じてメッセージを送出する機器が、コントロール線をプルアップすることにより他の機器を自動的にメッセージを受け付ける状態にしたり、ＥＤＩＤを読み取れる状態にしたり、電源をＯＮしたりすることが可能になる。また、メッセージと、そのメッセージで指定されている物理アドレスを利用することにより、そのメッセージで特定される制御（ここでは信号経路の確立）を適正に行うことができる。
【００７１】
逆にＴＶ１、ＤＶＤａ４が両方とも電源ＯＦＦになればコントロール線にメッセージを送らない状態になり、コントロール線をプルアップする機器が無くなる。スイッチャ２のマイコン３３は、コントロール線２１ａ、コントロール線２１ｂがＧＮＤレベルに戻ったことを検出して、本体の電源をＯＦＦにする。このように、特定の機器以外の機器が全て電源ＯＦＦになると、特定の機器も電源ＯＦＦにするというアプリケーションを実現することが可能となる。
【００７２】
（実施の形態３）
次に、実施の形態３の信号伝送システムを、図６〜図８を用いて説明する。
【００７３】
図６は実施の形態３の信号伝送システムの構成を示す図である。図６に示すように、実施の形態３の信号伝送システムは、ＴＶ１と、ＴＶ１１と、スイッチャ１２と、分配装置１０と、ＤＶＤａ４と、ＳＴＢａ５と、録画機ｂ７と、ＳＴＢｂ６とで構成されている。ＤＶＤａ４、ＳＴＢａ５、録画機ｂ７はスイッチャ１２に接続され、スイッチャ１２が選択した信号に基づく映像がＴＶ１によって表示される。また、ＳＴＢｂ６より出力された信号は分配装置１０によって、ＴＶ１とＴＶ１１とに送られる。
【００７４】
図６において、図１に示す構成要素と同じ構成要素に関しては、同じ符号を付与し、説明を省略する。ＴＶ１１は表示装置である。スイッチャ１２はスイッチャ２と同様の装置である。分配装置１０は、ＳＴＢｂ６からの信号をＴＶ１およびＴＶ１１の一方または双方に出力する装置である。録画機ｂ７は録画機ａ３と同様の装置である。
【００７５】
図６では、各装置を示すブロック内に数字が記載されている。数字は、その数字が含まれるブロックが示す装置の物理アドレスである。
【００７６】
図７は１入力２出力の分配装置１０の構成を示す図である。図７において、図２に示す構成要素と同じ構成要素に対しては、同じ符号を付与し、説明を省略する。図７において、分配器３４は映像入力部２０ａからの映像信号を２つの映像出力部２４ｃ、映像出力部２４ｄに分配し、スイッチ３１は制御信号伝送路であるコントロール線（ＣＴＬ）２５ｃ、コントロール線（ＣＴＬ）２５ｄの切り替えを行う。２出力の片方のＤＶＩは映像出力部２４ｄ、コントロール線２５ｄ、読み取りチャネルであるＤＤＣ２６ｄ、ＨＰＤ２７ｄで構成されている。
【００７７】
図６に示すように、分配装置１０が存在すると、２台のＴＶ１、ＴＶ１１を含んだ複数の機器の接続が可能となる。しかしながら、ＳＣＡＲＴでのコントロール線の規定ではＴＶの論理アドレスを有する機器はバス上で１台しか存在することが許されていない。さらに、分配装置１０の物理アドレスをＴＶ１とＴＶ１１とのどちらから取得してよいかを示す規定が無い。物理アドレスをＴＶ１とＴＶ１１との両方から取得すると、異なる値が得られて矛盾が生じたり、制御のたびに分配装置１０およびその上流の機器の物理アドレスが変化してしまい正しく制御できないという問題が生じる。
【００７８】
この対策として、分配装置１０に、コントロール線の内部接続を行うためのスイッチ３１を設け、マイコン３３からの制御を受けてＴＶ１とＴＶ１１のどちらか一方を選択させる。これにより一度にどちらか一方のＴＶにのみコントロール線が接続され、論理アドレスの規定違反から免れる。さらに、マイコン３３は選択しない側のＤＤＣからは物理アドレスを読み取らないように制限を加える。例えば分配装置１０のマイコン３３がＴＶ１１を選択している場合、スイッチ３１はコントロール線２５ｄとコントロール線２１ａとを接続し、コントロール線２５ｃとコントロール線２１ａとは接続しない。またマイコン３３はＤＤＣ２６ｄのみから分配装置１０の物理アドレスを読み出し、ＤＤＣ２６ｃからは読み出さない。そして、マイコン３３は、ＤＤＣ２６ｄから読み出した分配装置１０の物理アドレスをＥＤＩＤメモリ３２に設定する。これにより物理アドレスに関する矛盾も防ぐことができる。
【００７９】
また、実施の形態１などと同様に、分配装置１０では、マイコン３３が、コントロール線のプルアップを検出すると、本体の電源をＯＮにする。または、マイコン３３は、コントロール線上にメッセージが流れたことを受けて本体の電源をＯＮにしてもよい。これにより、分配装置１０は、コントロール線がプルアップされることにより自動的にメッセージを受け付ける状態になる。また、分配装置１０は、ＥＤＩＤを読み取れる状態になる。
【００８０】
さらに、分配装置１０のマイコン３３は、コントロール線２１ａ、コントロール線２５ｃ、コントロール線２５ｄがＧＮＤレベルに戻ったことを検出して、本体の電源をＯＦＦにする。このように、特定の機器以外の機器が全て電源ＯＦＦになると、特定の機器も電源ＯＦＦにするというアプリケーションを実現することが可能となる。物理アドレスの伝達や、メッセージに対する応答などは実施の形態１、実施の形態２と同様である。
【００８１】
図６に示すように、分配装置１０がＴＶ１１側すなわち映像出力部２４ｄ側を選択している場合には、ＴＶ１（物理アドレス＝００００）、スイッチャ１２（１０００）、分配装置１０（２０００）、ＤＶＤａ４（１１００）、ＳＴＢａ５（１２００）、録画機ｂ７（１３００）、ＳＴＢｂ６（２１００）がバスに接続されている。ＴＶ１１は信号を受信して再生することはできるが、メッセージを送って他の機器を制御したり、自身が対応できる映像フォーマットを提示して信号源側にフォーマットを調整させたりすることはできない。
【００８２】
一方図６に示す場合とは異なり、ＴＶ１の入力切り替えがスイッチャ１２側、すなわち映像入力部２０ａ側を選択しており、かつ分配装置１０がＴＶ１１側すなわち映像出力部２４ｄ側を選択している場合には、ＴＶ１（００００）、スイッチャ１２（１０００）、ＤＶＤａ４（１１００）、ＳＴＢａ５（１２００）、録画機ｂ７（１３００）が１つ目のバスに接続されている。さらに、ＴＶ１１（００００）、分配装置１０（１０００）、ＳＴＢｂ６（２１００）が２つ目のバスに接続される。この場合、ＴＶ１、ＴＶ１１はそれぞれ独立してルート機器となることができ、メッセージの送受や、信号源側にフォーマットを調整させることができる。
【００８３】
ここで、ＴＶ１が受信することができる映像信号のフォーマットが複数存在し、ＴＶ１１が受信することができる映像信号のフォーマットも複数存在する場合を想定する。図８（Ａ）に、ＴＶ１が受信することができる映像信号のフォーマットを示し、図８（Ｂ）に、ＴＶ１１が受信することができる映像信号のフォーマットを示す。図８（Ａ）に示すように、ＴＶ１が受信することができる映像信号のフォーマットは（ａ１）〜（ａ４）の４種類存在する。それに対し、図８（Ｂ）に示すように、ＴＶ１１が受信することができる映像信号のフォーマットは（ｂ１）〜（ｂ３）の３種類存在する。（ａ２）に示すフォーマットと、（ｂ１）に示すフォーマットとは共通する。そのため、分配装置１０のマイコン３３は、共通のフォーマット、すなわち（ａ２）および（ｂ１）に示すフォーマットで映像信号を出力するように、ＳＴＢｂ６にメッセージを送る。そのメッセージにしたがって、ＳＴＢｂ６は、（ａ２）および（ｂ１）に示すフォーマットで映像信号を出力する。これにより、ＴＶ１もＴＶ１１も、ＳＴＢｂ６からの映像信号を受信することができる。
【００８４】
なお、ＴＶ１が受信することができる映像信号のフォーマットであって、かつ、ＴＶ１１が受信することができる映像信号のフォーマットが複数存在する場合、分配装置１０のマイコン３３は、それら複数のフォーマットが存在することを示すメッセージをＳＴＢｂ６に送ってもよい。ＳＴＢｂ６は、複数のフォーマットの中からいずれかを選択する。その際、最も解像度の高い映像信号を選択させる等の規則を設けておき、ＳＴＢｂ６は、その規則に基づいて、複数のフォーマットの中からいずれかを選択してもよい。
【００８５】
また、分配装置１０を、図９に示すように、映像出力の内部接続を行うためのスイッチ４５を備えるディストリビュータ１０１に置き換えてもよい。この場合には、マイコン３３の選択により、スイッチ４５による映像信号の切り替えと、スイッチ３１によるコントロール線の切り替えとが連動して行われ、映像信号を選択・配信している方の機器に対して制御を行うことができる。
【００８６】
なお、いずれの実施の形態においても、以上説明した各構成部の機能の全部または一部、または、各ステップの全部または一部をコンピュータにより実行させるプログラムを格納する記録媒体を用いて実現してもよい。
【００８７】
また、上述した実施の形態では、本発明の信号切替装置を２入力１出力のスイッチャ２を例にとって説明し、本発明の信号分配装置を１入力２出力の分配装置１０を例にとって説明した。しかしながら、本発明はこれに限定するものではなく、本発明の信号切替装置および信号分配装置は、入力、出力共に、２つ以上を持つ機器であってもよい。
【００８８】
また、上述した実施の形態では、本発明の信号伝送システムにおける映像信号送信装置の一例として、ＤＶＤａ４およびＳＴＢｂ６を用いた。また、映像信号処理装置の一例としてスイッチャ２および分配装置１０を用いた。また、映像信号受信装置の一例としてＴＶ１およびＴＶ１１を用いた。
【産業上の利用可能性】
【００８９】
本発明の信号切替装置、信号分配装置、および表示装置は、映像信号通信部、ＤＤＣ、およびＨＰＤを有するＤＶＩ等のインターフェースを介して接続された機器を制御する装置等として有用である。
【図１】
2010259108.tif 000003
【図２】
2010259108.tif 000004
【図３】
2010259108.tif 000005
【図４】
2010259108.tif 000006
【図５】
2010259108.tif 000007
【図６】
2010259108.tif 000008
【図７】
2010259108.tif 000009
【図８】
2010259108.tif 000010
【図９】
2010259108.tif 000011
【手続補正書】
【提出日】平成22年9月16日(2010.9.16)
【手続補正１】
【補正対象書類名】明細書
【補正対象項目名】００１２
【補正方法】変更
【補正の内容】
【００１２】
上述した課題を解決するとともに上述した目的を達成するために、本発明の信号切替装置は、複数の入力元機器および出力先機器と接続可能な信号切替装置であって、接続された前記複数の入力元機器のそれぞれについてアドレスを設定するアドレス設定手段と、前記アドレス設定手段により設定されたアドレスを利用して、前記複数の入力元機器からいずれかの入力元機器を選択して、選択した入力元機器からの映像信号を前記出力先機器に出力する選択手段と、前記出力先機器からの情報を取得する取得手段と、前記アドレス設定手段で設定されたアドレスを利用して、前記取得手段で取得した情報に基づく情報を、前記複数の入力元機器のうち少なくともいずれかに出力する出力手段とを備える。
また、本発明の信号切替装置は、複数の映像信号入力のいずれかを選択する選択手段と、情報を保持するためのメモリと、映像信号の出力先である出力先機器から情報を読み取るための読み取りチャネルと、本体の物理アドレス及び前記出力先機器の状態を示す情報を前記読み取りチャネルを介して読み取る読み取り手段と、前記読み取り手段によって読み取られた情報を前記メモリに格納する格納手段と、前記メモリに格納された情報を読み出す読み出し手段と、複数の映像信号入力の入力元である複数の入力元機器へ情報を出力するための複数の読み出しチャネルと、前記出力先機器の状態を示す情報を前記読み出しチャネルを介して出力する出力手段とを備えるとしてもよい。
また、本発明の信号切替装置は、さらに、入力元機器が接続されたか否かを検出する検出手段を備え、前記アドレス設定手段は、前記検出手段が入力元機器が新たに接続されたことを検出すると、少なくとも、前記新たに接続された入力元機器についてアドレスを設定する、としてもよい。
【手続補正２】
【補正対象書類名】明細書
【補正対象項目名】００１３
【補正方法】変更
【補正の内容】
【００１３】
本発明の信号分配装置は、複数の映像信号の出力先である複数の出力先機器の一部又は全部に映像信号を出力するための分配手段と、映像信号の入力元である入力元機器のアドレスを設定するアドレス設定手段と、前記出力先機器からの情報を取得する取得手段と、前記アドレス設定手段で設定されたアドレスを利用して、前記取得手段で取得した情報に基づく情報を、前記入力元機器に出力する出力手段とを備える。
また、本発明の信号切替装置は、複数の映像信号の出力先である複数の出力先機器の一部又は全部に映像信号を出力するための分配手段と、情報を保持するためのメモリと、複数の前記出力先機器から情報を読み取るための複数の読み取りチャネルと、本体の物理アドレス及び前記出力先機器の状態を示す情報を前記読み取りチャネルを介して読み取る読み取り手段と、前記読み取り手段によって読み取られた情報を前記メモリに格納する格納手段と、前記メモリに格納された情報を読み出す読み出し手段と、映像信号の入力元である入力元機器へ情報を出力するための読み出しチャネルと、前記出力先機器の状態を示す情報を前記読み出しチャネルを介して出力する出力手段とを備えるとしてもよい。
【手続補正３】
【補正対象書類名】特許請求の範囲
【補正対象項目名】全文
【補正方法】変更
【補正の内容】
【特許請求の範囲】
【請求項１】
複数の入力元機器および出力先機器と接続可能な信号切替装置であって、
接続された前記複数の入力元機器のそれぞれについてアドレスを設定するアドレス設定手段と、
前記アドレス設定手段により設定されたアドレスを利用して、前記複数の入力元機器からいずれかの入力元機器を選択して、選択した入力元機器からの映像信号を前記出力先機器に出力する選択手段と、
前記出力先機器からの情報を取得する取得手段と、
前記アドレス設定手段で設定されたアドレスを利用して、前記取得手段で取得した情報に基づく情報を、前記複数の入力元機器のうち少なくともいずれかに出力する出力手段と
を備える信号切替装置。
【請求項２】
さらに、入力元機器が接続されたか否かを検出する検出手段を備え、
前記アドレス設定手段は、前記検出手段が入力元機器が新たに接続されたことを検出すると、少なくとも、前記新たに接続された入力元機器についてアドレスを設定する、
請求項１記載の信号切替装置。
【請求項３】
前記信号切替装置はさらに、
情報を保持するためのメモリと、
前記出力先機器から情報を取得するための取得チャネルと、
前記取得手段によって取得された情報を前記メモリに格納する格納手段と、
前記メモリに格納された情報を読み出す読み出し手段と、
前記複数の入力元機器へ情報を出力するための複数の読み出しチャネルとを備え、
前記取得手段は、本体のアドレス及び前記出力先機器の状態を示す情報を、前記取得チャネルを介して取得し、
前記出力手段は、前記読み出しチャネルを介して、前記出力先機器の状態を示す情報と前記複数の入力元機器毎のアドレスとを前記複数の入力元機器に出力し、
前記アドレス設定手段は、前記本体のアドレスに基づいて、前記複数の入力元機器のアドレスを設定する、
請求項１記載の信号切替装置。
【請求項４】
前記出力手段は、前記選択手段によって選択された映像信号入力に対応する前記読み出しチャネルのみから、前記出力先機器の状態を示す情報を出力する
請求項３記載の信号切替装置。
【請求項５】
更に、前記出力先機器及び各前記入力元機器との間で機器制御信号を伝送するための複数の制御信号伝送路と、
各前記制御信号伝送路の電圧状態を検出する電圧検出手段と、
前記電圧検出手段によって得られた検出結果に応じて、本体電源の状態を変化させる電源状態制御手段と
を備える請求項１記載の信号切替装置。
【請求項６】
前記電源状態制御手段は、前記電圧検出手段によって前記制御信号伝送路がプルアップされたことが検出された場合、前記本体電源を入れる
請求項５記載の信号切替装置。
【請求項７】
前記電源状態制御手段は、前記電圧検出手段によって前記制御信号伝送路の電圧がグラウンド電圧に引き下げられた場合、前記本体電源を切る
請求項５記載の信号切替装置。
【請求項８】
更に、前記出力先機器及び各前記入力元機器との間で機器制御信号を伝送するための複数の制御信号伝送路と、
各前記制御信号伝送路の使用の有無に応じて、前記出力先機器及び各前記入力元機器の全部又は一部への電源供給を制御する電源供給制御手段と
を備える請求項１記載の信号切替装置。
【請求項９】
前記電源供給制御手段は、前記機器制御信号であるメッセージが前記制御信号伝送路へ伝送された場合、電源を供給する
請求項８記載の信号切替装置。
【請求項１０】
前記電源供給制御手段は、前記制御信号伝送路が使用されていない場合、電源の供給を停止する
請求項８記載の信号切替装置。
【請求項１１】
複数の映像信号の出力先である複数の出力先機器の一部又は全部に映像信号を出力するための分配手段と、
映像信号の入力元である入力元機器のアドレスを設定するアドレス設定手段と、
前記出力先機器からの情報を取得する取得手段と、
前記アドレス設定手段で設定されたアドレスを利用して、前記取得手段で取得した情報に基づく情報を、前記入力元機器に出力する出力手段と
を備える信号分配装置。
【請求項１２】
前記信号分配装置は更に、
情報を保持するためのメモリと、
複数の前記出力先機器から情報を取得するための複数の取得チャネルと、
前記取得手段によって取得された情報を前記メモリに格納する格納手段と、
前記メモリに格納された情報を読み出す読み出し手段と、
前記入力元機器へ情報を出力するための読み出しチャネルと、
複数の前記出力先機器のいずれかを選択する選択手段とを備え、
前記取得手段は、前記選択手段によって選択された前記出力先機器に対応する取得チャネルのみから前記出力先機器の状態を示す情報を取得し、
前記アドレス設定手段は、前記取得手段によって取得された本体のアドレスに基づいて、前記入力元機器のアドレスを設定し、
前記出力手段は、前記読み出しチャネルを介して、前記出力先機器の状態を示す情報と前記入力元機器のアドレスとを前記入力元機器に出力する
請求項１１記載の信号分配装置。
【請求項１３】
前記取得手段は、前記選択手段によって選択された前記出力先機器に対応する前記取得チャネルのみから、前記出力先機器の状態を示す情報を取得する
請求項１２記載の信号分配装置。
【請求項１４】
更に、各前記出力先機器及び前記入力元機器との間で機器制御信号を伝送するための複数の制御信号伝送路と、
各前記制御信号伝送路の電圧状態を検出する電圧検出手段と、
前記電圧検出手段によって得られた検出結果に応じて、本体電源の状態を変化させる電源状態制御手段と
を備える請求項１１記載の信号分配装置。
【請求項１５】
前記電源状態制御手段は、前記電圧検出手段によって前記制御信号伝送路がプルアップされたことが検出された場合、前記本体電源を入れる
請求項１４記載の信号分配装置。
【請求項１６】
前記電源状態制御手段は、前記電圧検出手段によって前記制御信号伝送路の電圧がグラウンド電圧に引き下げられた場合、前記本体電源を切る
請求項１４記載の信号分配装置。
【請求項１７】
更に、各前記出力先機器及び前記入力元機器との間で機器制御信号を伝送するための複数の制御信号伝送路と、
各前記制御信号伝送路の使用の有無に応じて、各前記出力先機器及び前記入力元機器の全部又は一部への電源供給を制御する電源供給制御手段と
を備える請求項１１記載の信号分配装置。
【請求項１８】
前記電源供給制御手段は、前記機器制御信号であるメッセージが前記制御信号伝送路へ伝送された場合、電源を供給する
請求項１７記載の信号分配装置。
【請求項１９】
前記電源供給制御手段は、前記制御信号伝送路が使用されていない場合、電源の供給を停止する
請求項１７記載の信号分配装置。
【請求項２０】
前記出力手段は、複数の前記出力先機器の状態を示す情報のうちの共通する情報のみを出力する
請求項１１記載の信号分配装置。
【請求項２１】
複数の映像のいずれかを選択する選択手段と、
前記選択手段によって選択された映像を表示する表示手段と、
映像信号の入力元である入力元機器のアドレス及び本体の状態を示す情報を保持するためのメモリと、
前記メモリに保持された情報を読み出す読み出し手段と、
前記入力元機器へ情報を出力するための読み出しチャネルと、
前記本体の状態を示す情報を前記読み出しチャネルを介して出力する出力手段と、
前記本体のアドレスに基づいて、各前記入力元機器のアドレスを設定するアドレス設定手段とを備え、
前記出力手段は、前記入力元機器毎に、前記アドレス設定手段によって設定された、該当するアドレスを出力する
表示装置。
【請求項２２】
映像信号送信装置と、映像信号処理装置と、映像信号受信装置とを備え、
前記映像信号処理装置は、
情報を保持するためのメモリと、
前記映像信号受信装置から情報を取得するための取得チャネルと、
前記映像信号処理装置のアドレス及び前記映像信号受信装置の状態を示す情報を前記取得チャネルを介して取得する取得手段と、
前記取得手段によって取得された情報を前記メモリに格納する格納手段と、
前記メモリに格納された情報を読み出す読み出し手段と、
前記映像信号送信装置へ情報を出力するための読み出しチャネルと、
前記映像信号受信装置の状態を示す情報を前記読み出しチャネルを介して出力する出力手段と、
前記本体のアドレスに基づいて、各前記入力元機器のアドレスを設定するアドレス設定手段とを有し、
前記出力手段は、前記入力元機器毎に、前記アドレス設定手段によって設定された、該当するアドレスを出力する
信号伝送システム。
【請求項２３】
複数の入力元機器および出力先機器と接続可能な信号切替装置における信号切替方法であって、
接続された前記複数の入力元機器のそれぞれについてアドレスを設定するアドレス設定ステップと、
前記アドレス設定ステップにおいて設定されたアドレスを利用して、前記複数の入力元機器からいずれかの入力元機器を選択して、選択した入力元機器からの映像信号を前記出力先機器に出力する選択ステップと、
前記出力先機器からの情報を取得する取得ステップと、
前記アドレス設定ステップにおいて設定されたアドレスを利用して、前記取得ステップにおいて取得された情報に基づく情報を、前記複数の入力元機器のうち少なくともいずれかに出力する出力ステップと
を含む信号切替方法。
【請求項２４】
複数の映像信号の出力先である複数の出力先機器の一部又は全部に映像信号を出力するための分配ステップと、
映像信号の入力元である入力元機器のアドレスを設定するアドレス設定ステップと、
前記出力先機器からの情報を取得する取得ステップと、
前記アドレス設定ステップにおいて設定されたアドレスを利用して、前記取得ステップにおいて取得された情報に基づく情報を、前記入力元機器に出力する出力ステップと
を含む信号分配方法。
【請求項２５】
複数の入力元機器および出力先機器と接続可能な信号切替装置におけるプログラムであって、
接続された前記複数の入力元機器のそれぞれについてアドレスを設定するアドレス設定ステップと、
前記アドレス設定ステップにおいて設定されたアドレスを利用して、前記複数の入力元機器からいずれかの入力元機器を選択して、選択した入力元機器からの映像信号を前記出力先機器に出力する選択ステップと、
前記出力先機器からの情報を取得する取得ステップと、
前記アドレス設定ステップにおいて設定されたアドレスを利用して、前記取得ステップにおいて取得された情報に基づく情報を、前記複数の入力元機器のうち少なくともいずれかに出力する出力ステップと
をコンピュータに実行させるためのプログラム。
【請求項２６】
複数の映像信号の出力先である複数の出力先機器の一部又は全部に映像信号を出力するための分配ステップと、
映像信号の入力元である入力元機器のアドレスを設定するアドレス設定ステップと、
前記出力先機器からの情報を取得する取得ステップと、
前記アドレス設定ステップにおいて設定されたアドレスを利用して、前記取得ステップにおいて取得された情報に基づく情報を、前記入力元機器に出力する出力ステップと
をコンピュータに実行させるためのプログラム。